(57)【要約】  動作等によるズレを防止し、着用中にズレを直す手間なく、バストシルエットを美しく保つことができる、カップ部を有する衣類を提供する。本発明のカップ部を有する衣類は、一対のカップ部（１０１）およびバック布（１０３）を備え、バック布（１０３）は、カップ部（１０１）の脇側に配置され、カップ部（１０１）は、伸縮部材（１０１ａ）と線状もしくは帯状の芯材（１０５）とを含み、芯材（１０５）の端部の少なくとも一方がカップ部（１０１）のバージスラインに対応する部分にあり、芯材（１０５）とカップ部（１０１）の下縁部との間の領域に、伸縮部材（１０１ａ）が配置されていることを特徴とする。
2012042589.tif 000002
【特許請求の範囲】
【請求項１】
カップ部を有する衣類であって、
一対のカップ部およびバック布を備え、
前記バック布は、前記カップ部の脇側に配置され、
前記カップ部は、伸縮部材と線状もしくは帯状の芯材とを含み、
前記芯材の端部の少なくとも一方が前記カップ部のバージスラインに対応する部分にあり、
前記芯材と前記カップ部の下縁部との間の領域に、前記伸縮部材が配置されていることを特徴とするカップ部を有する衣類。
【請求項２】
前記芯材が、前記カップ部の前中心側および脇側の２箇所に配置されていることを特徴とする、請求の範囲１記載のカップ部を有する衣類。
【請求項３】
前記２箇所に配置された２つの芯材において、一方の芯材の端部と他方の芯材の端部とが、前記バージスラインの最下点付近で接していることを特徴とする、請求の範囲２記載のカップ部を有する衣類。
【請求項４】
前記芯材が、バストトップ位置とバージスラインとの間の中間領域を通っていることを特徴とする、請求の範囲１から３のいずれか一項に記載のカップ部を有する衣類。
【請求項５】
前記芯材が、アーチ状であることを特徴とする、請求の範囲１から４のいずれか一項に記載のカップ部を有する衣類。
【請求項６】
前記カップ部において、前記伸縮部材を除いた部分が、一体成型された一体成型部材であることを特徴とする、請求の範囲１から５のいずれか一項に記載のカップ部を有する衣類。
【請求項７】
前記一体成型部材の芯材部分が、前記一体成型部材の他の部分よりも硬いことを特徴とする、請求の範囲６記載のカップ部を有する衣類。
【発明の詳細な説明】
【技術分野】
【０００１】
本発明は、カップ部を有する衣類に関する。
【背景技術】
【０００２】
カップ部を有する衣類、例えば、ブラジャーには、肩紐（ストラップ）を取り付けないストラップレスタイプのものがある。ストラップレスタイプのブラジャーは、肩が露出するタイプのアウターを着用する場合等に、広く用いられている。ストラップレスの場合には、特にズレ下がりが気になり、わずかなズレでも敏感に察知して何度も位置を整えることになりがちであった。また、ズレ下がりが起こらないように、腕の上げ下げを控えるなど、動きに制約を与えることもある。したがって、着用時のバストの安定性が求められている。そこで、着用時のバストの形状安定化を図るために、ブラジャーのカップ内において、縦方向にボーンを挿入したブラジャーが提案されている（例えば、特許文献１参照）。また、特にストラップレスタイプでの形状安定性を目的として、弾性的な骨材をカップ布にほぼ上下方向に沿って配設した態様のブラジャーも提案されている（例えば、特許文献２参照）。
【先行技術文献】
【特許文献】
【０００３】
【特許文献１】特開平９−１５７９１２号公報
【特許文献２】特開平７−２５２７０４号公報
【発明の概要】
【発明が解決しようとする課題】
【０００４】
しかし、着用時の静止状態でバストの形状が安定化している場合であっても、例えば、大きく腕を上げ下げしたり、ジャンプをしたりする場合などには、ブラジャーのズレ下がりが起こりがちであった。腕を上げた状態になると、乳頭の位置は高くなり、バージス形状は横長の楕円形から縦長の楕円形に変化する。そうすると、従来のブラジャーでは、バストの移動や形状の変化に十分に追随することができず、カップの上辺や脇部分からバストがはみ出して着崩れ、はみ出したバスト自体がカップを押し下げてしまう。図１３は、右腕を上げて身体を左側に曲げた状態でのブラジャー着用時の動きを示す模式図である。腕を上げると矢印Ｉ方向にカップ支持部のワイヤーが開き、カップの上辺がバストから浮く方向に倒れようとする。そのため、カップ上辺や脇部分からバストがはみ出す。さらに、腕の上げ下げの動作を繰り返すことにより、はみ出し量が増え、ズレ下がりが大きくなっていく（蓄積ズレ）。また、図１４には、ジャンプ動作時のバストの動きを側面から見た状態の模式図を示す。各図において、破線は静止状態のバストを示している。跳んだ状態では、図１４（ａ）の実線に示すように、バストは上に持ち上がる。そして、着地時には、図１４（ｂ）の実線に示すように、バストは大きく下に揺れる。ブラジャー着用時には、このバストの動きにより、ブラジャーのカップ部全体で一気に大きな衝撃を受けることとなり、ブラジャー全体が下方向にズレ下がってしまっていた（衝撃ズレ）。この現象は、ストラップレスタイプのブラジャーに限らず、ストラップ付きのタイプのブラジャーやカップ付きキャミソール等のカップ部を有する衣類において発生する。【０００５】
本発明は、動作等によるズレを防止し、着用中にズレを直す手間なく、バストシルエットを美しく保つことができる、カップ部を有する衣類を提供することを目的とする。
【課題を解決するための手段】
【０００６】
前記目的を達成するために、本発明のカップ部を有する衣類は、一対のカップ部およびバック布を備え、
前記バック布は、前記カップ部の脇側に配置され、
前記カップ部は、伸縮部材と線状もしくは帯状の芯材とを含み、
前記芯材の端部の少なくとも一方が前記カップ部のバージスラインに対応する部分にあり、
前記芯材と前記カップ部の下縁部との間の領域に、前記伸縮部材が配置されていることを特徴とする。
【発明の効果】
【０００７】
本発明によれば、動作等によるズレを防止し、着用中にズレを直す手間なく、バストシルエットを美しく保つことができる、カップ部を有する衣類を提供することができる。本効果は、ストラップの有無にかかわらず、得ることができる。
【図面の簡単な説明】
【０００８】
【図１】図１は、本発明のカップ部を有する衣類の一例である、第１の実施形態に係るブラジャーを示す斜視図である。
【図２】図２は、前記第１の実施形態に係るブラジャーのカップ部付近の図である。
【図３】図３（ａ）〜（ｆ）は、前記第１の実施形態に係るブラジャーの変形例のカップ部付近の図である。
【図４】図４は、前記第１の実施形態に係るブラジャーをストラップレスの態様としたときの斜視図である。
【図５】図５は、本発明のカップ部を有する衣類の他の例である、第２の実施形態に係るブラジャーを示す斜視図である。
【図６】図６は、本発明のカップ部を有する衣類の他の例である、第３の実施形態に係るブラジャーを示す斜視図である。
【図７】図７は、本発明のカップ部を有する衣類のその他の例のブラキャミソールを示す図である。（ａ）は斜視図、（ｂ）は裏返した状態でカップ部付近を前面側から見た図、（ｃ）は同じく背面側から見た図である。
【図８】図８は、本発明のカップ部を有する衣類のその他の例のブラキャミソールを示す図である。（ａ）は斜視図、（ｂ）は背面側から見た図である。
【図９】図９は、本発明のカップ部を有する衣類のその他の例を示す図である。（ａ）は、三角ブラを示す斜視図であり、（ｂ）は、キャミソールを示す斜視図である。
【図１０】図１０は、本発明のカップ部を有する衣類のその他の例を示す図である。（ａ）は、ロングラインブラジャーを示す斜視図であり、（ｂ）は、ビスチェを示す斜視図である。
【図１１】図１１は、本発明のカップ部を有する衣類のその他の例のチューブトップを示す斜視図である。
【図１２Ａ】図１２Ａは、着用評価におけるバストの形状を示す図であり、ブラジャーを着用した状態のモアレ干渉縞による立体的な造型性を等高線で示した結果の写真である。（ａ）は動作前（静止時）、（ｂ）は右腕を上げた状態、（ｃ）は腕振り動作を１０回行った後の状態、（ｄ）は、ジャンプ動作を１０回行った後の状態を示す。
【図１２Ｂ】図１２Ｂは、図１２Ａのモアレ写真の（ａ）および（ｃ）において、胸部分を側面から見た写真である。
【図１３】図１３は、腕を上げた状態でのブラジャー着用時の動きを示す模式図である。
【図１４】図１４は、ジャンプ動作時のバストの動きを側面から見た状態を示す模式図である。（ａ）は、跳んだ状態を、（ｂ）は着地時の状態を示す。
【発明を実施するための形態】
【０００９】
本発明のカップ部を有する衣類において、前記芯材が、前記カップ部の前中心側および脇側の２箇所に配置されていることが好ましい。また、前記２箇所に配置された２つの芯材において、一方の芯材の端部と他方の芯材の端部とが、前記バージスラインの最下点付近で接していることが好ましい。
【００１０】
本発明のカップ部を有する衣類において、前記芯材が、バストトップ位置とバージスラインとの間の中間領域を通っていることが好ましい。
【００１１】
本発明のカップ部を有する衣類において、前記芯材が、アーチ状であることが好ましい。
【００１２】
本発明のカップ部を有する衣類において、前記芯材が、テープ状の芯材であってもよい。
【００１３】
本発明のカップ部を有する衣類は、前記カップ部において、前記伸縮部材を除いた部分が、一体成型された一体成型部材であることが好ましく、前記一体成型部材の芯材部分が、前記一体成型部材の他の部分よりも硬いことがより好ましい。
【００１４】
本発明のカップ部を有する衣類は、前記一対のカップ部の下縁に、前記カップ部を支持するカップ支持部が配置されていることが好ましい。
【００１５】
本発明のカップ部を有する衣類は、ブラジャーとして好適に用いることができ、特に、ストラップレスブラジャーにおいて、優れた効果を奏し、好ましく使用できる。また、前記芯材が、前記カップ部の前中心側に配置され、前記一対のカップ部の前中心側の伸縮部材がつながっている態様も好ましく、この態様はビスチェ等にも適用することができる。また、さらに胴部を有しており、前記胴部には、上下方向に延びるボーンが配置され、前記芯材が、前記ボーンと一体的に配置されていることを特徴とする、いわゆるロングラインブラジャーのような衣類にも適用することができる。
【００１６】
本発明のカップ部を有する衣類について、例をあげて説明する。ただし、本発明は、以下の例に限定および制限されない。
【００１７】
（第１の実施形態）
図１に、本発明のカップ部を有する衣類の第１の実施形態に係るブラジャー１００を示す。図１は、バック布１０３を係止した状態の本実施形態のブラジャー１００の斜視図である。本実施形態のブラジャー１００は、一対のカップ部１０１、一対のカップ部１０１を支持するカップ支持部１０２、一対のバック布１０３および一対の取り外し可能な肩ストラップ１０４を備えた、いわゆる１／２カップのブラジャーである。一対のカップ部１０１の下縁には、一対のカップ支持部１０２が配置され、一対のカップ支持部１０２の下縁には、土台部１１０が配置されている。そして、一対のカップ支持部１０２は、バージスラインに沿うように形成されており、土台部１１０によって連結されている。土台部１１０を介して、カップ支持部１０２の脇側には、一対のバック布１０３の一端が取り付けられている。一対のバック布１０３の他端は、連結係止部１０６が取り付けられて、背中心付近で着脱自在になっている。そして、一対のカップ部１０１は、芯材１０５と伸縮部材１０１ａと非伸縮部材１０１ｂとを含んでいる。芯材１０５は、アーチ状であり、芯材１０５の両端がカップ支持部１０２と接続して配置され、伸縮部材１０１ａは、芯材１０５とカップ支持部１０２との間に配置されている。ここで、「アーチ状」とは、上方向に凸状となる曲線形状をいう。本実施形態では、芯材１０５は、カップ部１０１の下側部分の前中心側および脇側の２箇所に配置されている。
【００１８】
図２に、本実施形態のブラジャー１００のカップ部１０１付近の図を示す。伸縮部材１０１ａが、カップ部１０１の下側部分に配置されていることにより、例えば、伸縮部材１０１ａが図２（ａ）における矢印の方向に伸縮することで、様々な方向に移動するバストにカップ部１０１を追随させることができる。また、ジャンプ動作等、バストが大きく動くことでカップ部１０１に衝撃が加わる場合でも、この衝撃を伸縮部材１０１ａで吸収することができる。したがって、カップ支持部１０２や土台部１１０に影響させずにカップ部１０１を素早く静止状態に戻すので、前記「衝撃ズレ」を防ぐことができる。
【００１９】
また、本実施形態のブラジャー１００は、芯材１０５の張力によって、立体的にカップ形状を維持させることができる。すなわち、伸縮部材１０１ａが伸縮した場合でも、図２（ｂ）に示すように、芯材１０５の張力によって、カップ部１０１を構成する非伸縮部材１０１ｂの形状の変化は抑えられる。そのため、本発明に係るブラジャーは、動作時にも、カップ形状を維持しながら、バストの動きに追随するので、カップ部１０１上部や脇部からのバストのはみ出しが起こり難く、その結果、前記「蓄積ズレ」も防ぐことができる。特に、アーチ状の芯材を本実施形態に示すように２本設けると、下カップ中央部分（芯材と芯材との間の部分）にしわが寄り、カップ部自体が下がるのを防ぐことができ、より効果的にカップ形状を維持することができる。
【００２０】
本実施形態では、芯材１０５は、カップ部１０１の下側部分の前中心側および脇側の２箇所に、略半円状に配置されている。土台部１１０のズレ下がりを防ぐためには、カップ部１０１の下側部分全体を伸縮性の部材で形成してもよいが、カップ自体にしわが寄って全体が下がってしまうことがある。そのため、本実施形態のように、アーチ状の芯材１０５を、その端部の少なくとも一方がカップ部１０１の下縁のバージスラインに対応する部分に配置されるように２箇所に設け、前記２箇所の芯材の間に非伸縮部材１０１ｂを配置することが好ましい。この場合、図３（ａ）に示すように、前記２箇所に配置された２つの芯材１０５において、一方の芯材の端部と他方の芯材の端部とが、カップ支持部１０２の最下点付近で接していることが好ましい。一方の芯材の端部と他方の芯材の端部とが接している場合、前記芯材の端部のみでなく、前記芯材の端部を含む部分が接していてもよい。芯材が本実施形態のように２箇所に配置されている場合、着用者のバストボリュームやブラジャーの形状およびデザイン等に応じて、芯材間の間隔や位置を調節してもよい。
【００２１】
伸縮部材１０１ａは、図２（ｃ）に示すカップ支持部１０２の最下点と脇側端点との中間点Ｍを含む領域に配置されていることが好ましい。伸縮部材１０１ａは、図３（ｂ）に示すように、カップ支持部１０２の脇側端点まで延設されていてもよい。
【００２２】
また、芯材１０５の形状は、アーチ状に限定されず、図３（ｃ）に示すように直線形状であってもよいし、図３（ｄ）に示すような屈曲部を有する形状であってもよい。また、芯材は幅を有している帯状であっても、ワイヤーのような線状であってもよい。幅を有している場合には、３ｃｍ程度以内の幅であることが好ましい。また、芯材の幅が変化したものを用いてもよい。例えば、図３（ｅ）に示すように、芯材の幅が変化した略三角形状の芯材を用いることもできる。芯材１０５の端部は、少なくとも一方がカップ部１０１のバージスラインに対応する部分に配置されていればよく、前中心側や脇側に配置される端部は、例えば、カップ上辺に至ってもよい。図３（ｃ）では、前中心側に配置された芯材１０５の、前中心側端部がカップ上辺に至っている実施形態を表わすが、これに限定されるものではなく、脇側に配置される芯材や他の形状の芯材においても同様であってもよい。また、上記で例示した芯材の形状は、前中心側に限られず、脇側においても用いることができる。また、前記前中心側や脇側に配置される端部は、図３（ｆ）に示すようにカップ部の縁部にまで至らない態様であってもよい。その場合、芯材はバストトップの高さ付近まであればよい。図３（ｆ）に示すような態様の場合、前記伸縮部材は、前記芯材で区切られる前記カップ部において、芯材とカップ下縁部との間の領域、すなわち、バストトップを含まない側の領域に配置されている。このように、前記伸縮部材は、芯材とカップ下縁部に「囲まれた」領域に配置されるものには限られない。
【００２３】
伸縮部材１０１ａが配置される領域は、図２（ｃ）に示す芯材１０５とカップ支持部１０２との間の最大幅Ｌで１．０ｃｍ以上あることが好ましい。１．０ｃｍ未満では、伸縮による効果が得られにくい。前記幅の上限は、ブラジャーのサイズにもよるが、バストトップの位置を越えない程度の幅であることが好ましい。伸縮部材１０１ａの幅が広すぎると、バストの造形性や着用時の安定感が不十分となるおそれもある。前記幅は、後述のカップ部材１０１における芯材１０５の位置も考慮して設計することができる。伸縮部材１０１ａとしては、例えば、チュールパワーネット、ワンウェイパワーネット、パワーネット、ツーウェイトリコット、天竺等のストレッチ素材を使用することができる。ストレッチ素材は、やや張力をかけた状態で取り付けると、着用時に身体をひねった際に弛みが生じず、好ましい。伸縮部材１０１ａが配置される領域が複数ある場合には、配置される領域によって、伸縮部材の素材として異なるものを使用してもよい。
【００２４】
伸縮部材１０１ａは、通気性を有していることも好ましい。バスト周辺では、バージスラインの直上方部分において、発汗量が最も多くなる。カップ部１０１の下側部分において、通気性の伸縮部材１０１ａを設けることにより、汗をかきやすい部分の風通しが良くなる。前記箇所に通気性の伸縮部材１０１ａを設けると、着用時のバージスライン周辺の通気性が良好なものとなり、快適な着用感のブラジャーを提供することができる。
【００２５】
芯材１０５は、図２（ｃ）に示すバストトップ位置Ｔとバージスラインとの間の中間領域Ａを通るように配置されていることが好ましい。バストを効果的に持ち上げるには、前記領域を押し上げることが効果的である。芯材１０５が前記領域Ａを通り配置されていると、バストを支えて持ち上げることができ、良好な造形性を得ることができる。脇側寄りの前記領域Ａに芯材１０５を配置すると、バストを寄せる効果も得ることができる。
【００２６】
芯材１０５としては、例えば、アモルファスワイヤー、金属ワイヤー、樹脂ワイヤー、布テープ等のテープ状の芯材等を使用することができる。前記布テープとしては、布材を重ね合わせて形成されたものでもよい。特に、複数の織物組織を厚さ方向に重ね合わせた重ね織り組織を有しており、幅方向の一方側の伸縮性を他方側の伸縮性よりも高くしたものは、幅方向に湾曲形状を維持した湾曲型テープとなり、ワイヤーを挿通することなく湾曲状態を維持することができる。
【００２７】
非伸縮部材１０１ｂは、通常のブラジャーにおいてカップ部に用いられる素材を適宜使用することができる。例えば、厚手の不織布を接ぎ合わせて構成したり、ウレタンフォーム、不織布、あるいはポリウレタンなどの高弾性糸から編成された厚手シート状の丸編素材（ダンボールニット）、およびポリウレタンなどの高弾性糸から編成された厚手シート状の経編素材（ダブルラッセル）等を使用してもよい。前記素材が柔らかく、カップの形状を立体的に保つことができない場合には、別途、追加の芯材を伸縮部材の位置にかかわらず、配置してもよい。
【００２８】
カップ部１０１において、芯材１０５と非伸縮部材１０１ｂとは、一体成型された一体成型部材であってもよい。この場合、例えば、前記一体成型部材の芯材部分を、前記一体成型部材の非伸縮部材部分よりも硬く成型すればよい。ここで、「硬い」とは、アモルファスワイヤー、金属ワイヤー、樹脂ワイヤーおよび布テープ等を芯材として用いた場合と同程度に、前記芯材部分の形状を維持できることを意味する。または、前記一体成型部材の芯材部分に、前記布テープやワイヤー等を設けてもよい。前記一体成型部材の材料としては、ウレタンフォーム、不織布、あるいはポリウレタンなどの高弾性糸から編成された厚手シート状の丸編素材（ダンボールニット）、およびポリウレタンなどの高弾性糸から編成された厚手シート状の経編素材（ダブルラッセル）等を使用することができる。
【００２９】
前記芯材部分を硬く成型した一体成型部材を得るためには、前記一体成型部材を、例えば次の方法で作製すればよい。均一な厚みの前記素材を用意し、所望の形状の金型を用いて圧縮成型を行う。成型後の厚みが薄い部分は、強く圧縮されるため硬くなり、成型後の厚みが厚い部分は、弱い圧縮であるため柔らかくなり、好適な厚みと柔らかさを備えた一体成型部材を得ることができる。したがって、前記芯材部分が薄くなるように成型することで、他の部分よりも硬く加工することができる。
【００３０】
また、複数の材料を積層して、圧縮することで硬さを出すこともできる。例えば、前記一体成型部材の材料としてウレタンフォームを使用する場合、芯材部分では、ウレタンとウレタンとの間に不織布を挟んで圧縮するとよい。また、圧縮前の元の素材として、厚みが異なる部分のあるものを用意し、同じ厚さに圧縮すると、圧縮前に厚かった部分が硬くなる。このような方法によっても、硬さを変えることができる。
【００３１】
なお、本実施形態において、非伸縮部材１０１ｂが配置されている部分は、非伸縮性でない素材を使用してもよい。また、本実施形態においては、土台部１１０は、脇部分まで延設されているが、カップ部１０１の下縁途中まで延設されているものであってもよい。土台部１１０を設けることで、アンダーバスト部分での装着安定性を向上させることができる。
【００３２】
肩ストラップ１０４の一端は、カップ部１０１の上辺に取り付けられた係止具１０８ａを通って反転し、エイト環からなる長さ調節具１０８ｂに導入されることによって、肩ストラップ１０４の長さ調整が可能な状態で、肩ストラップ１０４の他端側が、バック布１０３の上辺に取り付けられている。係止具１０８ａは、着脱可能にカップ部１０１およびバック布１０３の上辺に取り付けることもできる。着脱可能とすることで、ストラップ有り、ストラップレスの両方で着こなすことができる。肩ストラップ１０４の態様はこれに限定されず、例えば、前記一対のカップ部１０１の上部同士を互いに繋ぐように取り付けられている、いわゆる「ホルターネック」タイプであってもよい。肩ストラップ１０４の取り付け位置は、カップ部１０１の形状やブラジャーのデザインによって決定することができる。１／２カップのブラジャーの場合には、肩ストラップ１０４のカップ部１０１への取り付け位置は、一般には、後述するフルカップのブラジャーに比べて脇寄りである。前記取り付け位置を脇寄りとすることによって、バストの脇からの寄せを強くし、バストの谷間やバスト上部のふくらみ感を強調させることが可能となる。
【００３３】
肩ストラップ１０４は、カップ部１０１を肩から吊り下げるものであればよい。紐や布テープであってもよいし、タンクトップのような幅の広い、いわゆるラウンドタイプのストラップであってもよい。肩ストラップ１０４の態様は一対のカップ部１０１に対応して一対の肩ストラップ１０４をそれぞれカップ部１０１上部とバック布１０３に取り付ける態様に限定されず、例えば、スポーツタイプのブラジャーの肩ストラップのように、背中側で２本の肩ストラップ１０４が一体となりバック布１０３に取り付けられる態様であってもよい。また、図４に示すように、肩ストラップ１０４を有しない、ストラップレスの形態とすることもできる。本発明に係るブラジャーでは、ズレ下がりが起こり難いので、ストラップレスとした場合に、特に効果を実感することができる。また、ストラップを有する態様であっても、ズレ下がり防止機能をストラップで担う必要がないので、デザインの幅を広げて、ファッショナブルな態様とすることが可能となる。
【００３４】
本例のブラジャーでは、連結係止部１０６として、ホック（例えば、フック・アンド・アイ（鈎ホック））を使用しているが、グリッパー、ボタン、紐、面ファスナーなどの係止具を、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。また、バック布１０３が連結係止部１０６を有していなくてもよい。例えば、連結係止部１０６を前中心に設けてフロントホックタイプとしてもよい。また、連結係止部１０６がないタイプ、バック布を結んで係止するタイプであってもよい。
【００３５】
本実施形態で示した、本発明の構成を適用した１／２カップのブラジャーは、特に下カップが安定する。従来の１／２カップのブラジャーでは、バストから受ける衝撃を受け止められずに、カップが前に倒れてしまう傾向にあったが、本実施形態のブラジャーは、動作等によるカップの倒れこみやズレが起こり難い。
【００３６】
（第２の実施形態）
図５に、本発明のカップ部を有する衣類の第２の実施形態に係るブラジャー２００を示す。図５は、バック布２０３を係止した状態の本実施形態のブラジャー２００の斜視図である。本実施形態のブラジャー２００は、一対のカップ部２０１、一対のカップ部２０１を支持するカップ支持部２０２、一対のバック布２０３および一対の肩ストラップ２０４を備えた、いわゆる３／４カップのブラジャーである。一対のカップ部２０１の下縁には、一対のカップ支持部２０２が配置され、一対のカップ支持部２０２の下縁には、土台部２１０が配置されている。そして、一対のカップ支持部２０２は、バージスラインに沿うように形成されており、土台部２１０によって連結されている。
【００３７】
３／４カップのブラジャーの場合には、肩ストラップ２０４のカップ部２０１への取り付け位置は、カップ部２０１の中央寄りの部分であり、肩ストラップ２０４によってバスト全体を持ち上げてバストボリュームの重心を上にする構成である。一対のカップ部２０１は、第１の実施形態のブラジャー１００と同様に、芯材２０５と伸縮部材２０１ａと非伸縮部材２０１ｂとを含んでいる。芯材２０５は、アーチ状であり、芯材２０５の両端がカップ支持部２０２と接続して配置され、伸縮部材２０１ａは、芯材２０５とカップ支持部２０２との間に配置されている。本実施形態では、芯材２０５は、カップ部２０１の下側部分の前中心側および脇側の２箇所に配置されており、一方の芯材の端部と他方の芯材の端部とが、カップ支持部２０２との接続部付近で接しているが、この態様に限定されない。ストラップを有する３／４カップブラジャーの場合には、前記芯材同士は、最下点よりも脇側で接していてもよい。その他の構成は、前記の実施形態１と同様であり、同様の効果を得ることができる。特に、本発明の構成を適用した３／４カップのブラジャーは、脇カップが安定する。
【００３８】
（第３の実施形態）
図６に、本発明のカップ部を有する衣類の第３の実施形態に係るブラジャー３００を示す。図６は、バック布１０３を係止した状態の本実施形態のブラジャー３００の斜視図である。本実施形態においては、土台部が設けられておらず、カップ支持部１０２は、前中心部材３０７によって連結されている。そして、カップ支持部１０２の脇側に、直接、一対のバック布１０３の一端が取り付けられている。その他の構成は、前記の実施形態１と同様である。このように、土台部を設けない態様であっても、「衝撃ズレ」や「蓄積ズレ」を防ぐことができ、バストシルエットを美しく保つことができるブラジャーを提供することができ、デザインのバリエーションを多彩なものとすることができる。
【００３９】
（第４の実施形態）
図７に、本発明のカップ部を有する衣類のその他の例として、ブラキャミソール４００の斜視図を示す。図７（ａ）は斜視図、図７（ｂ）は裏返した状態でカップ部付近を前面側から見た図、図７（ｃ）は同じく背面側から見た図である。
【００４０】
このブラキャミソール４００は、キャミソールの身頃内側にブラジャー相当部分が設けられているストラップレスタイプのものである。ブラキャミソール４００は、図７（ｂ）および（ｃ）に示されるように、図１で説明したブラジャー１００とほぼ同一の概念のもとに設計されているブラジャー相当部分が、ストラップレスの態様で内装されている。本態様においては、ブラキャミソール４００は、ブラジャー相当部分を覆うように身頃４０１を有している。また、バック布１０３は連結係止部を有しておらず、連結係止部の操作をすることなく着脱ができる態様である。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。本例においては、バック布１０３がない態様としてもよい。本例の構成にすることにより、肩部分を有しない衣類における動作時のズレ下がりを防止することができる。
【００４１】
（第５の実施形態）
次に、図８に本発明のカップ部を有する衣類のその他の例として、ブラキャミソール５００の図を示す。図８（ａ）は斜視図、図８（ｂ）は背面側から見た図である。このブラキャミソール５００のブラジャー相当部分は、図１で説明したブラジャー１００とほぼ同一の概念のもとに設計されている。本態様においては、ブラキャミソール５００が、土台部１１０の下側に、胸下部身頃５０１と、さらにそれに連なってスカート部５０２を有している。本例では、バック布１０３の下に胸下部身頃５０１とスカート部５０２を取りつけているが、バック布１０３の下に直接スカート部５０２を取りつけてもよい。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。本例においては、バック布１０３がない態様としてもよい。
【００４２】
（第６の実施形態）
図９（ａ）に、本発明のカップ部を有する衣類の第６の実施形態に係る三角ブラ６００ａを正面から見た図を示す。本実施形態においては、カップ部６０１のカップ支持部に相当する部分には、ゴムテープが通っており、バック布６０３と一続きになっており、背面で係止できるようになっている。その他の構成は、前記の実施形態３と同様である。このように、カップ支持部を有しない、ノンワイヤー等の態様においても、「衝撃ズレ」や「蓄積ズレ」を防ぐことができ、バストシルエットを美しく保つことができるブラジャーを提供することができ、デザインのバリエーションを多彩なものとすることができる。なお、カップ支持部を有しない、ノンワイヤー等の態様は、三角ブラに限られず、他の実施形態においても適用することができる。
【００４３】
図９（ｂ）に、本実施形態の変形例に係るキャミソール６００ｂの斜視図を示す。
【００４４】
このキャミソール６００ｂのブラジャー相当部分は、図９（ａ）に示す三角ブラ６００ａと同様のデザインとすることができる。三角ブラ６００ａでは、カップ支持部に相当する部分にゴムテープを用いているが、この部分には、リボン等の部材を用いて、締め付け感を低減させて構成することもできる。
【００４５】
（第７の実施形態）
図１０（ａ）に、本発明のカップ部を有する衣類の第７の実施形態に係るロングラインブラジャー７００の斜視図を示す。
【００４６】
このロングラインブラジャー７００は、図３（ａ）で示したカップ部を有するストラップレスタイプのブラジャーである。カップ部の下側には、身頃７０６が設けられており、身頃７０６において縦方向にボーン７０７が設けられている。ここでは、図３（ａ）で示したカップ部を有するロングラインブラジャーについて説明したが、本発明はこれに限定されない。ロングラインブラジャーのような衣類においても、本例の構成にすることにより、「衝撃ズレ」や「蓄積ズレ」を防ぐことができ、動作時のズレ下がりを防止することができ、バストシルエットを美しく保つことができる。また、ロングラインブラジャーにおけるボーン７０７のズレ下がり等も防止することができ、良好な着用感が得られる。
【００４７】
（第８の実施形態）
図１０（ｂ）に、本発明のカップ部を有する衣類の第８の実施形態に係るビスチェ８００の斜視図を示す。
【００４８】
このビスチェ８００は、カップ支持部に相当する部分は設けられておらず、芯材８０５が、身頃８０６においてカップ部の下に縦方向に配置されるボーン８０７と一体となっている。伸縮部材８０１ａは、同図に例示するように、芯材８０５とカップ部下縁部の間の領域に設けられ、さらに、ボーン８０７に沿う領域において、身頃８０６のウエスト上辺部付近まで延設してもよい。ビスチェのような衣類においても、本例の構成にすることにより、「衝撃ズレ」や「蓄積ズレ」を防ぐことができ、動作時のズレ下がりを防止することができ、バストシルエットを美しく保つことができる。また、ビスチェにおけるボーン８０７のズレ下がり等も防止することができ、良好な着用感が得られる。
【００４９】
（第９の実施形態）
図１１に、本発明のカップ部を有する衣類のその他の例として、チューブトップ９００の斜視図を示す。
【００５０】
このチューブトップ９００は、ブラジャー相当部分において、左右のカップ部の前中心側の伸縮部材９０１ａが一体に形成されている。ブラジャー相当部分のカップ部下縁部は、ワイヤー等が設けられていないノンワイヤータイプである。また、バック布１０３は連結係止部を有しておらず、連結係止部の操作をすることなく着脱ができる態様である。ここでは、左右のカップ部の前中心側の伸縮部材９０１ａが一体に形成されているチューブトップについて説明したが、本発明はこれに限定されず、他の実施形態に係るブラジャー相当部分を有するチューブトップとすることもできる。本例の構成にすることにより、チューブトップのような肩部分を有しない衣類においても、「衝撃ズレ」や「蓄積ズレ」を防ぐことができ、動作時のズレ下がりを防止することができ、バストシルエットを美しく保つことができるとともに、良好な着用感が得られる。
【００５１】
（着用主観評価）
図１に示すタイプの本発明に係るブラジャー１００の、着用主観評価結果を示す。まず、複数名のモニターに、前記ブラジャー１００および従来品のブラジャーＡを、それぞれストラップを取り外した状態（図４の状態）で着用して、（１）腕振り動作１０回、および（２）ジャンプ動作１０回をそれぞれ行ってもらい、着用感のコメントを求めた。従来品のブラジャーＡは、カップ部の下カップ側が厚くなっているモールドカップを使用したブラジャーである。なお、前記腕振り動作とは、「右腕を垂直に振り上げて、そのまま体を左に９０度近く曲げ、体をもとの位置まで起こし、腕を下ろす」、動作である。前記ジャンプ動作は、地面から足が完全に離れるくらい、垂直に跳ぶ動作である。モニターの内訳は、Ｃ７０サイズのバストボリューム「大」、「中」、「小」が各１名、Ｅ７０サイズのバストボリューム「中」が２名の、計５名である。その結果、腕振り動作でズレなかったのは、５名中４名が本発明のブラジャーであると回答し、１名はどちらともいえないと回答した。ジャンプ動作でズレなかったのは、５名中４名が本発明のブラジャーであると回答し、１名はどちらともいえないと回答した。本発明のブラジャーは、ストラップレスであってもズレ下がりが起こり難いことがわかった。
【００５２】
また、上記と同じ複数名のモニターに、前記ブラジャー１００および従来品のブラジャーＢを、それぞれストラップを取り外した状態で着用して、前記腕振り動作および前記ジャンプ動作を行ってもらい、着用感のコメントを求めた。なお、従来品のブラジャーＢは、カップ部がカットソーであるストラップレスタイプのブラジャーである。このブラジャーは、カップの造形性が良好であり、また、従来品のブラジャーＡに比べて着崩れがし難いとのとの評価結果を得ているものである。その結果、腕振り動作でズレなかったのは、５名中３名が本発明のブラジャーであると回答し、２名は従来品のブラジャーＢであると回答した。ジャンプ動作でズレなかったのは、５名中４名が本発明のブラジャーであると回答し、１名は従来品のブラジャーＢであると回答した。本発明のブラジャーは、ストラップレスであってもズレ下がりが起こり難いことがわかった。
【００５３】
（動作前後評価）
図１に示すタイプの本発明に係るブラジャー１００の、動作前後の着用評価結果を示す。図１２Ａは、前記ブラジャー１００および従来品のブラジャーＢについて、ストラップを取り外した状態で、同一モニターが着用した際のバストの形状を示すモアレ写真である。図１２Ａにおいて、各図は、前記２種類のブラジャー着用時の胸部分を正面から見た際の、モアレ干渉縞による立体的な造型性を等高線で示しており、上段が前記ブラジャー１００を着用した場合であり、下段が従来品のブラジャーＢを着用した場合である。モニターのバストサイズは、Ｅ７０サイズのバストボリューム「中」であった。図１２Ａにおいて、（ａ）は動作前（静止時）、（ｂ）は右腕を上げた状態、（ｃ）は前記腕振り動作を１０回行った後の状態、（ｄ）は、前記ジャンプ動作を１０回行った後の状態である。図１２Ｂは、前記モアレ写真の（ａ）および（ｃ）において、胸部分を側面から見た写真である。各図には、動作前のバストトップ位置を示すために、基準線を付与してある。
【００５４】
本発明に係るブラジャー１００では、腕振り動作１０回後、ジャンプ動作１０回後においても、動作前と比べて、バストの形状がほとんど変化していないことがわかる。一方、従来品のブラジャーＢでは、腕振り動作１０回後には、カップ部上部が凹んでカップ部の形状が上下につぶれ、バストトップ部分が突き出た「くちばし状」に変化していることが、モアレ干渉縞および側面の写真からわかる。また、ジャンプ動作１０回後では、全体にズレ下がりが発生していることがわかる。
【００５５】
この結果から、次のメカニズムが推測されるが、本発明は、これにより限定されるものではない。腕を上げた状態になると、乳頭の位置は高くなり、バージス形状は横長の楕円形から縦長の楕円形に変化する。そうすると、従来のブラジャーＢでは、バストの移動や形状の変化に十分に追随することができず、カップの上辺や脇部分からバストがはみ出して着崩れ、はみ出したバスト自体がカップを押し下げてしまう。さらに、腕の上げ下げの動作を繰り返すことにより、はみ出し量が増え、カップ部の形状が上下につぶれて「くちばし状」となり、ズレ下がりが大きくなっていくと考えられる。それに対し、本発明のブラジャーでは、動作時に、カップ形状を維持しながらバストの動きに追随し、はみ出しを防ぐので、動作の繰り返しによるズレ下がりは生じにくい。さらに、ジャンプ等の大きな衝撃があっても、伸縮部材により衝撃が吸収されるので、カップ支持部や土台部に影響なく、バストを静止状態に戻すことができる。従って、衝撃によるズレ下がりも生じにくい。
【００５６】
以上、実施の形態の具体例として、ブラジャー、ブラキャミソール、チューブトップ等をあげて本発明を説明したが、本発明のカップ部を有する衣類は、これらの具体例で記載されたもののみに限定されるものではなく、種々の態様が可能である。例えば、上記の実施形態以外にも、ボディスーツやブラスリップ、また、ファンデーション衣類以外にも、セパレートタイプやワンピースタイプの水着のトップ部、レオタード、その他各種のカップ部を有する衣類に適用できる。また、前中心を係脱自在のホックで連結するフロントホックタイプの衣類にも適用できる。
【産業上の利用可能性】
【００５７】
本発明のカップ部を有する衣類は、種々の態様が可能である。例えば、上記の実施形態のようなファンデーション衣類以外にも、スポーツ衣類、アウターなど、各種のカップ部を有する衣類に適用できる。
【符号の説明】
【００５８】
１００、２００、３００  ブラジャー
１０１、２０１、６０１  カップ部
１０１ａ、２０１ａ、８０１ａ、９０１ａ  伸縮部材
１０１ｂ、２０１ｂ  非伸縮部材
１０２、２０２  カップ支持部
１０３、２０３、６０３  バック布
１０４、２０４  肩ストラップ
１０５、２０５、８０５  芯材
１０６  連結係止部
１０８ａ  係止具
１０８ｂ  長さ調節具
１１０、２１０  土台部
３０７  前中心部材
４００、５００  ブラキャミソール
４０１  身頃
５０１  胸下部身頃
５０２  スカート部
６００ａ  三角ブラ
６００ｂ  キャミソール
７００  ロングラインブラジャー
７０６、８０６  身頃
７０７、８０７  ボーン
８００  ビスチェ
９００  チューブトップ
Ｍ  カップ支持部の最下点と脇側端点との中間点
Ｌ  伸縮部材の幅
Ｔ  バストトップ位置
Ａ  中間領域
【図１】
2012042589.tif 000003
【図２】
2012042589.tif 000004
【図３】
2012042589.tif 000005
【図４】
2012042589.tif 000006
【図５】
2012042589.tif 000007
【図６】
2012042589.tif 000008
【図７】
2012042589.tif 000009
【図８】
2012042589.tif 000010
【図９】
2012042589.tif 000011
【図１０】
2012042589.tif 000012
【図１１】
2012042589.tif 000013
【図１３】
2012042589.tif 000014
【図１４】
2012042589.tif 000015
【図１２Ａ】
2012042589.tif 000016
【図１２Ｂ】
2012042589.tif 000017
【手続補正書】
【提出日】平成25年9月30日(2013.9.30)
【手続補正１】
【補正対象書類名】特許請求の範囲
【補正対象項目名】全文
【補正方法】変更
【補正の内容】
【特許請求の範囲】
【請求項１】
カップ部を有する衣類であって、
一対のカップ部およびバック布を備え、
前記バック布は、前記カップ部の脇側に配置され、
前記カップ部は、伸縮部材と線状もしくは帯状の芯材とを含み、
前記芯材の端部の少なくとも一方が前記カップ部のバージスラインに対応する部分にあり、
前記芯材と前記カップ部の下縁部との間の領域に、前記伸縮部材が配置されており、
前記芯材が、前記カップ部の前中心側および脇側の２箇所に配置されていることを特徴とするカップ部を有する衣類。
【請求項２】
前記２箇所に配置された２つの芯材において、一方の芯材の端部と他方の芯材の端部とが、前記バージスラインの最下点付近で接していることを特徴とする、請求項１記載のカップ部を有する衣類。
【請求項３】
前記芯材が、バストトップ位置とバージスラインとの間の中間領域を通っていることを特徴とする、請求項１または２記載のカップ部を有する衣類。
【請求項４】
前記芯材が、アーチ状であることを特徴とする、請求項１から３のいずれか一項に記載のカップ部を有する衣類。
【請求項５】
前記カップ部において、前記伸縮部材を除いた部分が、一体成型された一体成型部材であることを特徴とする、請求項１から４のいずれか一項に記載のカップ部を有する衣類。
【請求項６】
前記一体成型部材の芯材部分が、前記一体成型部材の他の部分よりも硬いことを特徴とする、請求項５記載のカップ部を有する衣類。
【国際調査報告】
2012042589.tif 000018
2012042589.tif 000019
2012042589.tif 000020
2012042589.tif 000021